(57)【要約】【課題】より効率的な放熱設計を適用でき、小型かつ低コストで低雑音の装置を実現することが可能な位相制御装置を提供する。【解決手段】位相制御装置は、交流電源１からの供給電力の導通角を制御して負荷２へ流れる電力を調整するものであって、供給電力をオンオフするスイッチ素子Ｑ１と、スイッチ素子Ｑ１のオンオフを制御する制御回路４とを備える。制御回路４が供給電力の略ゼロ点でスイッチ素子Ｑ１をオンし、供給電力の位相が略９０度でスイッチ素子Ｑ１をオフする逆位相制御を行う際、スイッチ素子Ｑ１をオフする過渡時に、スイッチ素子Ｑ１の損失による温度上昇が調光時と全灯時とで略同じになる所定時間の能動動作領域を設ける。【選択図】図１
2008181790.tif 000002
【特許請求の範囲】
【請求項１】
交流電源からの供給電力の導通角を制御して負荷へ流れる電力を調整する位相制御装置であって、
前記供給電力をオンオフするスイッチ素子と、
前記スイッチ素子のオンオフを制御する制御部とを備え、
前記制御部は、前記供給電力の略ゼロ点で前記スイッチ素子をオンし、前記供給電力の位相が略９０度で前記スイッチ素子をオフする逆位相制御を行うものであり、
前記制御部が前記スイッチ素子をオフする過渡時に、前記スイッチ素子の損失による温度上昇が電力制御時と非制御時とで略同じになる所定の時間の能動動作領域を有する位相制御装置。
【請求項２】
交流電源からの供給電力の導通角を制御して負荷へ流れる電力を調整する位相制御装置であって、
前記供給電力をオンオフするスイッチ素子と、
前記スイッチ素子のオンオフを制御する制御部とを備え、
前記制御部は、前記供給電力の位相が略９０度で前記スイッチ素子をオンし、前記供給電力の略ゼロ点で前記スイッチ素子をオフする位相制御を行うものであり、
前記制御部が前記スイッチ素子をオンする過渡時に、前記スイッチ素子の損失による温度上昇が電力制御時と非制御時とで略同じになる所定の時間の能動動作領域を有する位相制御装置。
【請求項３】
請求項１または２に記載の位相制御装置であって、
前記交流電源とこの交流電源と直列接続される負荷との間に接続され、前記交流電源からの供給電力を整流する整流器を備え、
前記スイッチ素子は、前記整流器の出力側に接続され、前記制御部からの制御信号に基づき、前記整流器で整流された脈流電力をオンオフする一つのスイッチ素子を有してなる位相制御装置。
【請求項４】
請求項１または２に記載の位相制御装置であって、
前記スイッチ素子は、前記交流電源とこの交流電源と直列接続される負荷との間に互いに逆極性で直列に接続され、前記制御部からの制御信号に基づき、前記交流電源からの供給電力をオンオフする第１及び第２のスイッチ素子を有してなる位相制御装置。
【請求項５】
請求項１または２に記載の位相制御装置であって、
前記能動動作領域は、交流電源の電源周波数の半周期の略１０００分の２から１０００分の４であり、電力制御時の前記スイッチ素子の能動動作領域の損失とオン時の損失とを加算した平均損失と、非制御時の前記スイッチ素子のオン時の損失とが略同じになるように設定される位相制御装置。
【請求項６】
請求項１に記載の位相制御装置であって、
前記逆位相制御における能動動作領域は、前記スイッチ素子がオン状態からオフ状態になるとき、前記スイッチ素子の制御端子と接地端子間の入力容量による電荷が、前記制御端子と前記接地端子間に設けられた抵抗により自然放電されることによって生成される位相制御装置。
【請求項７】
請求項２に記載の位相制御装置であって、
前記位相制御における能動動作領域は、前記スイッチ素子がオフ状態からオン状態になるとき、前記スイッチ素子の制御端子と接地端子間の入力容量と、前記制御端子と前記制御部間に設けられた抵抗との時定数により充電されることによって生成される位相制御装置。
【請求項８】
請求項１または２に記載の位相制御装置であって、
前記スイッチ素子に電界効果トランジスタを用いた位相制御装置。
【請求項９】
請求項１または２に記載の位相制御装置であって、
前記スイッチ素子に絶縁ゲート型トランジスタを用いた位相制御装置。
【請求項１０】
請求項１〜９のいずれかに記載の位相制御装置を有し、負荷に白熱ランプ又はハロゲンランプを用いた照明装置。
【発明の詳細な説明】
【技術分野】
【０００１】
本発明は、照明負荷等の交流負荷の電力制御を行うための位相制御装置に関し、詳しくは、位相制御装置におけるスイッチング雑音等の雑音低減対策に関する。
【背景技術】
【０００２】
白熱灯等の照明負荷の調光など、交流負荷に対して供給する電力を調整するために用いられる装置として、負荷電流の導通角（導通期間の位相角）を制御する位相制御または逆位相制御を行うことにより供給電力を調整する位相制御装置が種々提案されている。
【０００３】
従来の位相制御装置では、交流負荷への供給電力をオンオフするスイッチ手段として、トライアック等の半導体素子を用い、このスイッチ手段で負荷電流の導通角をスイッチング制御することによって位相制御を実現している。このような位相制御の場合、調光時において、スイッチ手段がオンしたときに急峻な電流が流れるため、スイッチング雑音が大きいという問題点があった。この点を改善したものとして、スイッチ手段にＦＥＴ等の半導体スイッチ素子を用いて、電圧ゼロボルト（ゼロクロス）でスイッチ手段をオンし、電流がゼロから流れるようにした逆位相制御を行い、スイッチング雑音を軽減できるようにしたものが開示されている（例えば、特許文献１参照）。
【０００４】
また、従来のトライアックやサイリスタを用いた位相制御調光方式を、ＦＥＴ等を用いた逆位相制御に置換できるように、調光用の制御信号に信号変換機能を持たせた位相制御装置が開示されている（例えば、特許文献２参照）。この構成によれば、既存の制御信号発生装置を変更することなく、逆位相制御によって従来の位相制御と同様の調光を実現できる。
【特許文献１】特開昭６０−１０１６２０号公報
【特許文献２】特開２０００−２８６０７５号公報
【発明の開示】
【発明が解決しようとする課題】
【０００５】
しかしながら、上記従来例では、逆位相制御によって、電圧ゼロボルトでスイッチ手段をオンして電流がゼロから流れるようにすることで、雑音を軽減することが可能であるが、スイッチ手段をオフして電流が流れ終わるときのスイッチング雑音については、軽減できていない。電気用品安全法においてＣＩＳＰＲ１５の雑音規格が答申されているが、この厳しい雑音基準に対応するためには、上記スイッチング雑音も軽減しないと満足できない。従来例において、逆位相制御時のスイッチング雑音を軽減するためには、フィルタのコンデンサやコイルの追加、大容量化、大型化などが必要となる。このため、フィルタの複雑化によって回路が大型化してしまい、回路温度上昇やコスト的にも不利になる。
【０００６】
また、スイッチ手段をオフする際に、スイッチング雑音低減のためにオフする速度を遅くさせすぎると、スイッチ手段の素子の損失が増大し、調光時のスイッチ手段の温度上昇が全灯時よりも高くなる。このため、調光時に合わせた装置の放熱設計が必要となり、全灯時のみの対応などを考慮すると、余分な放熱設計となる場合があり、非効率な設計となってしまう。
【０００７】
本発明は、上記事情に鑑みてなされたもので、より効率的な放熱設計を適用でき、小型かつ低コストで低雑音の装置を実現することが可能な位相制御装置を提供することを目的とする。
【課題を解決するための手段】
【０００８】
本発明の第１の位相制御装置は、交流電源からの供給電力の導通角を制御して負荷へ流れる電力を調整する位相制御装置であって、前記供給電力をオンオフするスイッチ素子と、前記スイッチ素子のオンオフを制御する制御部とを備え、前記制御部は、前記供給電力の略ゼロ点で前記スイッチ素子をオンし、前記供給電力の位相が略９０度で前記スイッチ素子をオフする逆位相制御を行うものであり、前記制御部が前記スイッチ素子をオフする過渡時に、前記スイッチ素子の損失による温度上昇が電力制御時と非制御時とで略同じになる所定の時間の能動動作領域を有するものである。
【０００９】
本発明の第２の位相制御装置は、交流電源からの供給電力の導通角を制御して負荷へ流れる電力を調整する位相制御装置であって、前記供給電力をオンオフするスイッチ素子と、前記スイッチ素子のオンオフを制御する制御部とを備え、前記制御部は、前記供給電力の位相が略９０度で前記スイッチ素子をオンし、前記供給電力の略ゼロ点で前記スイッチ素子をオフする位相制御を行うものであり、前記制御部が前記スイッチ素子をオンする過渡時に、前記スイッチ素子の損失による温度上昇が電力制御時と非制御時とで略同じになる所定の時間の能動動作領域を有するものである。
【００１０】
また、本発明は、上記の位相制御装置であって、前記交流電源とこの交流電源と直列接続される負荷との間に接続され、前記交流電源からの供給電力を整流する整流器を備え、前記スイッチ素子は、前記整流器の出力側に接続され、前記制御部からの制御信号に基づき、前記整流器で整流された脈流電力をオンオフする一つのスイッチ素子を有してなるものとする。
【００１１】
また、本発明は、上記の位相制御装置であって、前記スイッチ素子は、前記交流電源とこの交流電源と直列接続される負荷との間に互いに逆極性で直列に接続され、前記制御部からの制御信号に基づき、前記交流電源からの供給電力をオンオフする第１及び第２のスイッチ素子を有してなるものとする。
【００１２】
また、本発明は、上記の位相制御装置であって、前記能動動作領域は、交流電源の電源周波数の半周期の略１０００分の２から１０００分の４であり、電力制御時の前記スイッチ素子の能動動作領域の損失とオン時の損失とを加算した平均損失と、非制御時の前記スイッチ素子のオン時の損失とが略同じになるように設定されるものとする。
【００１３】
また、本発明は、上記の位相制御装置であって、前記逆位相制御における能動動作領域は、前記スイッチ素子がオン状態からオフ状態になるとき、前記スイッチ素子の制御端子と接地端子間の入力容量による電荷が、前記制御端子と前記接地端子間に設けられた抵抗により自然放電されることによって生成されるものとする。
【００１４】
また、本発明は、上記の位相制御装置であって、前記位相制御における能動動作領域は、前記スイッチ素子がオフ状態からオン状態になるとき、前記スイッチ素子の制御端子と接地端子間の入力容量と、前記制御端子と前記制御部間に設けられた抵抗との時定数により充電されることによって生成されるものとする。
【００１５】
また、本発明は、上記の位相制御装置であって、前記スイッチ素子に電界効果トランジスタを用いたものとする。
また、本発明は、上記の位相制御装置であって、前記スイッチ素子に絶縁ゲート型トランジスタを用いたものとする。
また、本発明は、上記いずれかに記載の位相制御装置を有し、負荷に白熱ランプ又はハロゲンランプを用いた照明装置を提供する。
【００１６】
上記構成により、位相制御装置において逆位相制御または位相制御を行う際に、供給電力の位相が略９０度のタイミングでスイッチ素子をオフまたはオンさせるときに、例えば交流電源周波数の半周期の略１０００分の２から１０００分の４となる能動動作領域を設けることで、効率的な放熱設計を実施するために全灯時と調光時の損失が略同等となるようにし、かつ所定の雑音規格を十分満足させることが可能となる。したがって、より効率的な放熱設計を適用でき、小型かつ低コストで低雑音の装置を実現することが可能である。
【発明の効果】
【００１７】
本発明によれば、より効率的な放熱設計を適用でき、小型かつ低コストで低雑音の装置を実現することが可能な位相制御装置を提供できる。
【発明を実施するための最良の形態】
【００１８】
以下に、本発明の実施形態を説明するが、それはあくまで本発明に基づいて採択された例示的な実施形態であり、本発明をこの実施形態に特有な事項に基づいて限定解釈してはならず、本発明の技術的範囲は、特許請求の範囲の請求項に示した事項さらにはその事項と実質的に等価である事項に基づいて定められるべきである。
【００１９】
以下の実施形態では、交流負荷として白熱灯などの照明機器を負荷として用い、交流電源からの供給電力を逆位相制御または位相制御によって制御して調光を行う照明装置の調光装置に適用した構成例を示す。
【００２０】
（第１の実施形態）
図１は本発明の第１の実施形態に係る位相制御装置の構成を示す回路図である。本実施形態の位相制御装置は、逆位相制御または位相制御による電力スイッチングが可能となっている。位相制御装置は、商用周波数の交流電源１が接続される電源接続部ＣＮ１と、交流電源１に対して直列に白熱灯等の負荷２が接続される負荷接続部ＣＮ２と、交流電源１からの供給電力を整流する整流器としてのダイオードブリッジＤＢ１と、整流された脈流電力（脈流電圧、脈流電流）をオンオフするスイッチ素子Ｑ１と、スイッチ素子Ｑ１のオンオフを制御する制御部の機能を有する制御回路４とを備えて構成される。本実施形態のように照明装置の調光装置に適用する場合、負荷２には白熱ランプ、ハロゲンランプなどが用いられる。
【００２１】
スイッチ素子Ｑ１は、例えば電界効果トランジスタ（ＭＯＳ−ＦＥＴ）等の半導体スイッチング素子により構成される。スイッチ素子Ｑ１としては、電界効果トランジスタの他に、絶縁ゲート型トランジスタ（ＩＧＢＴ）、バイポーラトランジスタなどを用いることができる。スイッチ素子Ｑ１がＭＯＳ−ＦＥＴの場合、図１に示すようにダイオードブリッジＤＢ１の出力側にソース、ドレインが接続されてソースがグランドＧＮＤに接地され、ゲートが抵抗Ｒ３を介して制御回路４に接続される。また、スイッチ素子Ｑ１のゲート−ソース間には抵抗Ｒ２が設けられる。このスイッチ素子Ｑ１は、制御回路４からの制御信号がゲートに入力されることにより、制御信号に応じてソース−ドレイン間をオンオフするものである。制御回路４は、制御電源３が接続され、マイコン制御により制御信号として後述する所定のタイミングで所定の制御電圧を出力してスイッチ素子Ｑ１に供給する。
【００２２】
また、交流電源１の電源ラインには、フューズＦＵＳＥ、サージ吸収素子（バリスタ）ＺＮＲ、及び雑音低減用のフィルタＦ１が設けられる。フィルタＦ１は、電源ラインに直列に挿入されるコイル等のインダクタ素子と、並列に挿入されるコンデンサ等の容量素子とを有して構成される。また、フィルタＦ１の出力側には並列に抵抗Ｒ１が設けられる。
【００２３】
本実施形態では、制御回路４によってスイッチ素子Ｑ１をオンオフ制御することにより、交流電源１からの供給電力の導通角（導通期間の位相角）を制御し、白熱灯等の負荷２に流れる負荷電流を調整することで調光を行う。交流電源１からの電流はダイオードブリッジＤＢ１で全波整流が行われ、脈流電流となってスイッチ素子Ｑ１のソース−ドレイン間に供給される。そして、スイッチ素子Ｑ１が制御回路４によってオンオフされ、逆位相制御または位相制御が行われる。これにより、交流電源１とダイオードブリッジＤＢ１間に接続された負荷２は、逆位相制御または位相制御によって調光が行われる。
【００２４】
まず、逆位相制御を行う第１の動作例を説明する。図２は第１の実施形態において逆位相制御を行う第１の動作例の動作波形を示す図である。図２において、（Ａ）は負荷電圧及びスイッチ素子電流（ドレイン電流）を示し、（Ｂ）は（Ａ）の破線で囲んだ部分で示されるスイッチ素子オフ過渡時の素子にかかる電圧、電流波形を示したものである。また、図中の斜線部は調光時の逆位相制御により電流が流れている区間を示している。ここでは、９０度逆位相制御により調光を行う例を示す。なお、交流電源の周波数（商用周波数）の半周期をＴとする。
【００２５】
逆位相制御を行う場合、図２（Ａ）に示すように、制御回路４はマイコン制御により、負荷電圧が略ゼロボルト（ゼロクロス、位相０度または１８０度）のタイミング５、７（すなわちスイッチ素子Ｑ１にかかる脈流電圧、脈流電流が略ゼロ点のタイミング）でスイッチ素子Ｑ１をオンし、ドレイン電流及び負荷電流がゼロから流れるようにする。また、負荷電圧が上昇した略ピーク（位相９０度または２７０度）のタイミング６、８（すなわちスイッチ素子Ｑ１にかかる脈流電圧、脈流電流が略ピーク点のタイミング）でスイッチ素子Ｑ１をオフする。上記動作を交流電源周波数の半周期で繰り返す。これにより、逆位相制御の電力スイッチング（逆位相調光制御）が行われる。
【００２６】
このとき、図２（Ｂ）に示すように、スイッチ素子オフのタイミング１３において、スイッチ素子Ｑ１をオフさせる過渡時にスイッチ素子Ｑ１の調光時（電力制御時）の損失による温度上昇が全灯時（非制御時）よりも高くならない（または全灯時と略同等である）所定の時間の能動動作領域１２を設ける。つまり、スイッチ素子電流（ドレイン電流）１０が徐々に減少する所定の時間の能動動作領域１２が生じるようにする。なお、このときスイッチ素子電圧（ドレイン電圧）１１は徐々に増加する。
【００２７】
ここで、能動動作領域１２は、逆位相制御の場合、スイッチ素子Ｑ１がオン状態からオフ状態になるとき、スイッチ素子Ｑ１のゲート（制御端子）とソース（接地端子）間の入力容量による電荷がゲートとソース間に挿入した抵抗Ｒ２により自然放電されることによって生成される。
【００２８】
次に、逆位相制御における所定時間の能動動作領域１２及びスイッチ素子Ｑ１の損失について詳しく説明する。図３はスイッチ素子Ｑ１の全灯時の場合の電流・電圧波形及び損失を示す図、図４はスイッチ素子Ｑ１の逆位相制御による調光時の場合の電流・電圧波形及び損失を示す図、図５は図４のスイッチ素子Ｑ１がオフする能動動作領域区間の瞬時損失を示す図である。
【００２９】
ここでは、スイッチ素子Ｑ１がＭＯＳ−ＦＥＴの場合を示す。まず、全灯時の場合は、図３に示すように、ＭＯＳ−ＦＥＴは常にオン状態にあり、ドレイン電流が略全期間にわたって流れる。このとき、ＭＯＳ−ＦＥＴの損失は、オン抵抗とＭＯＳ−ＦＥＴに流れる電流で求められる。
【００３０】
平均損失をＰ（全灯）、オン抵抗をＲｏｎ、電流の実効値をＩＤ(rms)とすると、全灯時の平均損失Ｐ（全灯）は以下の（１）式で表される。
Ｐ（全灯）＝Ｒｏｎ×ＩＤ(rms)×ＩＤ(rms)    …（１）
【００３１】
一方、逆位相制御による調光時の場合は、図４に示すように瞬時損失を近似できる。この場合、特に所定の時間の能動動作領域を設けたことによって、９０度逆位相制御では損失が多くなる。調光時において、ＭＯＳ−ＦＥＴは、交流電源の周波数（商用周波数）の半周期の２分の１の期間、すなわちＴ／２の期間はオン状態にあり、あとの半周期の２分の１（Ｔ／２）はオフ状態にある。よって、調光時の瞬時損失は、Ｔ／２期間のオン状態のときのＭＯＳ−ＦＥＴの瞬時損失となり、この瞬時損失はオン抵抗とＭＯＳ−ＦＥＴに流れる電流で求められる。
【００３２】
オン状態の瞬時損失をＰｔ、オン抵抗をＲｏｎ、オンしている区間ｔの電流として、全灯時の半周期の電流の実効値をＩＤ(rms)とすると、９０度逆位相制御による調光時の瞬時損失Ｐｔは以下の（２）式で表される。
Ｐｔ＝Ｒｏｎ×ＩＤ(rms)×ＩＤ(rms)    …（２）
【００３３】
次に、ＭＯＳ−ＦＥＴがターンオフする能動動作領域区間ｔｏｆｆの瞬時損失を求める。能動動作領域区間ｔｏｆｆでは、図５に示すように、瞬時損失をＰｔｏｆｆ、ＭＯＳ−ＦＥＴのドレイン電流をＩＤ、ドレイン−ソース間電圧をＶＤＳとすると、能動動作領域区間ｔｏｆｆの瞬時損失Ｐｔｏｆｆは以下の（３）式で表される。
Ｐｔｏｆｆ＝１／６×ＩＤ×ＶＤＳ    …（３）
【００３４】
なお、ＭＯＳ−ＦＥＴがターンオンする能動動作領域区間ｔｏｎの瞬時損失は、電圧ゼロ点から電流が流れ出すことによって、ほとんど無いとみて無視する。
【００３５】
次に、調光時の平均瞬時損失を近似すると、平均瞬時損失ＰＤは以下の（４）式で表される。
ＰＤ＝(Ｐｔ・ｔ＋Ｐｔｏｆｆ・ｔｏｆｆ)／（ｔ＋ｔｏｆｆ）    …（４）
【００３６】
そして、調光時の平均損失を近似すると、平均損失Ｐ（調光）は以下の（５）式で表される。
Ｐ（調光）＝ＰＤ・(ｔ＋ｔｏｆｆ)／Ｔ    …（５）
【００３７】
スイッチ素子Ｑ１として用いるＭＯＳ−ＦＥＴの温度上昇は、損失とともに増加する。このため、商用電源の電源位相が略９０度のタイミングで逆位相制御により調光を行う場合の能動動作領域として、調光時の温度上昇が全灯時よりも高くならない（または全灯時と略同じになる）所定の時間の能動動作領域を設けるということは、調光時の平均損失Ｐ（調光）が全灯時の平均損失Ｐ（全灯）と略同じになるように設定することである。つまり、Ｐ（調光）≒Ｐ（全灯）、すなわちＰＤ・(ｔ＋ｔｏｆｆ)／Ｔ≒Ｒｏｎ×ＩＤ(rms)×ＩＤ(rms)となるように能動動作領域の時間を設定する。
【００３８】
なお、調光時の逆位相制御を９０度位相に限定すれば、Ｐｔ≒Ｐｔｏｆｆの関係を満たすように能動動作領域の時間を設定してもよい。
【００３９】
しかしながら、ＣＩＳＰＲ１５規格対応の雑音特性を満足するためには、できるだけ長い時間の能動動作領域を設けることが望ましい。つまり、Ｐ（調光）≒Ｐ（全灯）、またはＰｔ≒Ｐｔｏｆｆのいずれかを満たすものから、できるだけ長い能動動作領域区間ｔｏｆｆを設定することが望ましい。
【００４０】
上記のように能動動作領域を設定した場合、スイッチ素子Ｑ１の温度上昇は、全灯時と調光時とでほぼ同じとなる。なお、ＣＩＳＰＲ１５規格対応の雑音特性を満足するために、できるだけ長い時間の能動動作領域を設けることが望ましいが、あまり長すぎると、スイッチ素子Ｑ１の温度上昇が高くなってしまう。この場合、負荷電力の大きい全灯時よりも、負荷電力の小さい調光時の方が温度上昇が高くなり、負荷電力の小さい調光時に合わせた放熱設計が必要となり、非効率である。例えば、全灯時のみの対応などを考慮すると、余分な放熱設計となる場合がある。少なくとも、全灯時と比べて調光時の温度上昇を同等に抑えることが効率的な設計といえる。
【００４１】
本実施形態の構成では、逆位相制御によりスイッチ素子Ｑ１オン時のスイッチング雑音を抑えることができ、また、スイッチ素子Ｑ１オフ時の所定時間の能動動作領域の設定によって、ＣＩＳＰＲ１５規格対応の雑音特性を満足する低雑音の位相制御装置を実現することが可能である。このため、入力部の雑音対策用のフィルタＦ１の回路部品は、容量素子はフィルムコンデンサ０．１μＦ〜０．４７μＦ程度でよく、インダクタ素子に関しても４７μＨ程度の小容量のものでよい。したがって、雑音対策における部品の小型化、低コスト化を実現しつつ、ＣＩＳＰＲ１５の雑音規格を満足し、かつ、調光時のスイッチング損失によるスイッチ素子の温度上昇を全点灯時と略同等にできるという効果が得られる。
【００４２】
図６は従来例の位相制御装置の構成及び動作を示す図である。従来の位相制御装置では、図６（Ａ）に示すようにスイッチ素子としてトライアックＴＲＩＡＣ１を設け、図６（Ｂ）に示すように位相９０度でトライアックＴＲＩＡＣ１をオンさせ、ゼロクロスで保持電流がなくなりオフする、いわゆる後縁制御と呼ばれる方式が一般的である。
【００４３】
これに対し、本実施形態では、スイッチ素子としてＭＯＳ−ＦＥＴを設けてオンオフ制御するため、保持電流の考え方はなくなり、ＭＯＳ−ＦＥＴのゲート信号により制御が可能である。よって、ゼロクロスでＭＯＳ−ＦＥＴをオンさせ、位相９０度でオフさせる逆位相制御が可能である。例えば、位相制御対応蛍光灯インバータ(調光型パルックボール（商標）)などを負荷として用いる場合に、従来の位相制御によって位相９０度でオンさせると、突入電流が毎周期流れるために回路のストレスが大きくなってしまう。一方、逆位相制御の場合は、ゼロクロス点から電流が流れるため、突入電流を無くすことができ、回路へかかるストレスを緩和できるという利点がある。
【００４４】
次に、位相制御を行う第２の動作例を説明する。図７は第１の実施形態において位相制御を行う第２の動作例の動作波形を示す図である。図７において、（Ａ）は負荷電圧及びスイッチ素子電流（ドレイン電流）を示し、（Ｂ）は（Ａ）の破線で囲んだ部分で示されるスイッチ素子オン過渡時の素子にかかる電圧、電流波形を示したものである。また、図中の斜線部は調光時の位相制御により電流が流れている区間を示している。ここでは、９０度位相制御により調光を行う例を示す。なお、交流電源の周波数（商用周波数）の半周期をＴとする。
【００４５】
位相制御を行う場合、図７（Ａ）に示すように、制御回路４はマイコン制御により、負荷電圧が上昇した略ピーク（位相９０度または２７０度）のタイミング６、８（すなわちスイッチ素子Ｑ１にかかる脈流電圧、脈流電流が略ピーク点のタイミング）でスイッチ素子Ｑ１をオンし、ドレイン電流及び負荷電流を流し始めるようにする。また、負荷電圧が略ゼロボルト（ゼロクロス、位相０度または１８０度）のタイミング５、７（すなわちスイッチ素子Ｑ１にかかる脈流電圧、脈流電流が略ゼロ点のタイミング）でスイッチ素子Ｑ１をオフする。これにより、位相制御の電力スイッチング（位相調光制御）が行われる。
【００４６】
このとき、図７（Ｂ）に示すように、スイッチ素子オンのタイミング１５において、スイッチ素子Ｑ１をオンさせる過渡時にスイッチ素子Ｑ１の調光時（電力制御時）の損失による温度上昇が全灯時（非制御時）よりも高くならない（または全灯時と略同等である）所定の時間の能動動作領域１４を設ける。つまり、スイッチ素子電流（ドレイン電流）１０が徐々に増加する所定の時間の能動動作領域１４が生じるようにする。なお、このときスイッチ素子電圧（ドレイン電圧）１１は徐々に減少する。
【００４７】
ここで、能動動作領域１４は、位相制御の場合、スイッチ素子Ｑ１がオフ状態からオン状態になるとき、スイッチ素子Ｑ１のゲート（制御端子）とソース（接地端子）間の入力容量と電流制限抵抗Ｒ３との時定数により充電されることによって生成される。
【００４８】
次に、位相制御における所定時間の能動動作領域１４及びスイッチ素子Ｑ１の損失について詳しく説明する。図８はスイッチ素子Ｑ１の位相制御による調光時の場合の電流・電圧波形及び損失を示す図、図９は図８のスイッチ素子Ｑ１がオンする能動動作領域区間の瞬時損失を示す図である。
【００４９】
ここでは、逆位相制御の場合と同様に、スイッチ素子Ｑ１がＭＯＳ−ＦＥＴの場合を示す。位相制御による調光時の場合は、図８に示すように瞬時損失を近似できる。この場合、特に所定の時間の能動動作領域を設けたことによって、９０度位相制御では損失が多くなる。調光時において、ＭＯＳ−ＦＥＴは、交流電源の周波数（商用周波数）の半周期の２分の１の期間、すなわちＴ／２の期間はオフ状態にあり、あとの半周期の２分の１（Ｔ／２）はオン状態にある。よって、調光時の瞬時損失は、Ｔ／２期間のオン状態のときのＭＯＳ−ＦＥＴの瞬時損失となり、この瞬時損失はオン抵抗とＭＯＳ−ＦＥＴに流れる電流で求められる。
【００５０】
オン状態の瞬時損失をＰｔ、オン抵抗をＲｏｎ、オンしている区間ｔの電流として、全灯時の半周期の電流の実効値をＩＤ(rms)とすると、９０度位相制御による調光時の瞬時損失Ｐｔは以下の（６）式で表される。
Ｐｔ＝Ｒｏｎ×ＩＤ(rms)×ＩＤ(rms)    …（６）
【００５１】
次に、ＭＯＳ−ＦＥＴがターンオンする能動動作領域区間ｔｏｎの瞬時損失を求める。能動動作領域区間ｔｏｎでは、図９に示すように、瞬時損失をＰｔｏｎ、ＭＯＳ−ＦＥＴのドレイン電流をＩＤ、ドレイン−ソース間電圧をＶＤＳとすると、能動動作領域区間ｔｏｎの瞬時損失Ｐｔｏｎは以下の（７）式で表される。
Ｐｔｏｎ＝１／６×ＩＤ×ＶＤＳ    …（７）
【００５２】
なお、ＭＯＳ−ＦＥＴがターンオフする能動動作領域区間ｔｏｆｆの瞬時損失は、電圧ゼロ点で電流が流れ終わることによって、ほとんど無いとみて無視する。
【００５３】
次に、調光時の平均瞬時損失を近似すると、平均瞬時損失ＰＤは以下の（８）式で表される。
ＰＤ＝(Ｐｔ・ｔ＋Ｐｔｏｎ・ｔｏｎ)／（ｔ＋ｔｏｎ）    …（８）
【００５４】
そして、調光時の平均損失を近似すると、平均損失Ｐ（調光）は以下の（９）式で表される。
Ｐ（調光）＝ＰＤ・(ｔ＋ｔｏｎ)／Ｔ    …（９）
【００５５】
スイッチ素子Ｑ１として用いるＭＯＳ−ＦＥＴの温度上昇は、損失とともに増加する。このため、商用電源の電源位相が略９０度のタイミングで位相制御により調光を行う場合の能動動作領域として、調光時の温度上昇が全灯時よりも高くならない（全灯時と略同じになる）所定の時間の能動動作領域を設けるということは、調光時の平均損失Ｐ（調光）が全灯時の平均損失Ｐ（全灯）と略同じになるように設定することである。つまり、Ｐ（調光）≒Ｐ（全灯）、すなわちＰＤ・(ｔ＋ｔｏｎ)／Ｔ≒Ｒｏｎ×ＩＤ(rms)×ＩＤ(rms)となるように能動動作領域の時間を設定する。
【００５６】
なお、調光時の位相制御を９０度位相に限定すれば、Ｐｔ≒Ｐｔｏｎの関係を満たすように能動動作領域の時間を設定してもよい。
【００５７】
しかしながら、ＣＩＳＰＲ１５規格対応の雑音特性を満足するためには、できるだけ長い時間の能動動作領域を設けることが望ましい。つまり、Ｐ（調光）≒Ｐ（全灯）、またはＰｔ≒Ｐｔｏｎのいずれかを満たすものから、できるだけ長い能動動作領域区間ｔｏｎを設定することが望ましい。上記のように能動動作領域を設定した場合、スイッチ素子Ｑ１の温度上昇は、全灯時と調光時とでほぼ同じとなる。
【００５８】
このように位相制御による調光においても、逆位相制御の場合と同様に、スイッチ素子Ｑ１オン時の所定時間の能動動作領域の設定によって、ＣＩＳＰＲ１５規格対応の雑音特性を満足する低雑音の位相制御装置を実現することが可能である。したがって、雑音対策における部品の小型化、低コスト化を実現しつつ、ＣＩＳＰＲ１５の雑音規格を満足し、かつ、調光時のスイッチング損失によるスイッチ素子の温度上昇を全点灯時と略同等にできるという効果が得られる。
【００５９】
（第２の実施形態）
図１０は本発明の第２の実施形態に係る位相制御装置の構成を示す回路図である。本実施形態の位相制御装置は、第１の実施形態と同様、逆位相制御または位相制御による電力スイッチングが可能となっている。位相制御装置は、商用周波数の交流電源１が接続される電源接続部ＣＮ１と、交流電源１に対して直列に白熱灯等の負荷２が接続される負荷接続部ＣＮ２と、交流電源１と負荷２との間に互いに逆向きで直列に接続され、交流電源１からの供給電力をオンオフする第１のスイッチ素子Ｑ１及び第２のスイッチ素子Ｑ２と、これら一対のスイッチ素子Ｑ１、Ｑ２のオンオフを制御する制御部の機能を有する制御回路４とを備えて構成される。なお、交流電源１の電源ラインに設けられるフューズＦＵＳＥ、サージ吸収素子（バリスタ）ＺＮＲ、雑音低減用のフィルタＦ１、抵抗Ｒ１は第１の実施形態と同様である。本実施形態のように照明装置の調光装置に適用する場合、負荷２には白熱ランプ、ハロゲンランプなどが用いられる。
【００６０】
スイッチ素子Ｑ１、Ｑ２は、例えば電界効果トランジスタ（ＭＯＳ−ＦＥＴ）等の半導体スイッチング素子により構成される。スイッチ素子Ｑ１、Ｑ２としては、電界効果トランジスタの他に、絶縁ゲート型トランジスタ（ＩＧＢＴ）、バイポーラトランジスタなどを用いることができる。スイッチ素子Ｑ１、Ｑ２がＭＯＳ−ＦＥＴの場合、図１０に示すようにフィルタＦ１の出力側にソース、ドレインが互いに逆極性で直列に接続されて両者のソースがグランドＧＮＤに接地され、ゲートがそれぞれ抵抗Ｒ３、Ｒ５を介して制御回路４に接続される。また、スイッチ素子Ｑ１、Ｑ２のゲート−ソース間にはそれぞれ抵抗Ｒ２、Ｒ４が設けられる。このスイッチ素子Ｑ１、Ｑ２は、制御回路４からの制御信号がゲートに入力されることにより、制御信号に応じてソース−ドレイン間をオンオフするものである。制御回路４は、制御電源３が接続され、マイコン制御により制御信号として後述する所定のタイミングで所定の制御電圧を出力してスイッチ素子Ｑ１、Ｑ２に供給する。
【００６１】
本実施形態では、制御回路４によってスイッチ素子Ｑ１、Ｑ２をオンオフ制御することにより、交流電源１からの供給電力の導通角（導通期間の位相角）を制御し、白熱灯等の負荷２に流れる負荷電流を調整することで調光を行う。交流電源１からの電流は直列接続されたスイッチ素子Ｑ１、Ｑ２のソース−ドレイン間に供給される。そして、スイッチ素子Ｑ１、Ｑ２が制御回路４によってオンオフされ、逆位相制御または位相制御が行われる。これにより、交流電源１と直列に接続された負荷２は、逆位相制御または位相制御によって調光が行われる。
【００６２】
まず、逆位相制御を行う第１の動作例を説明する。図１１は第２の実施形態において逆位相制御を行う第１の動作例の動作波形を示す図である。図１１において、（Ａ）は負荷電圧及びスイッチ素子電流（ドレイン電流）を示し、（Ｂ）は（Ａ）の破線で囲んだ部分で示されるスイッチ素子オフ過渡時の素子にかかる電圧、電流波形を示したものである。また、図中の斜線部は調光時の逆位相制御により電流が流れている区間を示している。ここでは、９０度逆位相制御により調光を行う例を示す。なお、交流電源の周波数（商用周波数）の半周期をＴとする。
【００６３】
逆位相制御を行う場合、図１１（Ａ）に示すように、制御回路４はマイコン制御により、負荷電圧が略ゼロボルト（ゼロクロス、位相０度）のタイミング７（すなわちスイッチ素子Ｑ１にかかる電圧、電流が略ゼロ点のタイミング）でスイッチ素子Ｑ１をオンし、ドレイン電流がゼロから流れるようにする。このとき、スイッチ素子Ｑ２の寄生ダイオードを介してドレイン電流が交流電源１に戻り、負荷２に負荷電流が流れる。また、負荷電圧が上昇した略ピーク（位相９０度）のタイミング８（すなわちスイッチ素子Ｑ１にかかる電圧、電流が略ピーク点のタイミング）でスイッチ素子Ｑ１をオフする。そして、負荷電圧が略ゼロボルト（ゼロクロス、位相１８０度）のタイミング５（すなわちスイッチ素子Ｑ２にかかる電圧、電流が略ゼロ点のタイミング）でスイッチ素子Ｑ２をオンし、ドレイン電流がゼロから流れるようにする。このとき、スイッチ素子Ｑ１の寄生ダイオードを介してドレイン電流が交流電源１に戻り、負荷２に負荷電流が流れる。また、負荷電圧が上昇した略ピーク（位相２７０度）のタイミング６（すなわちスイッチ素子Ｑ２にかかる電圧、電流が略ピーク点のタイミング）でスイッチ素子Ｑ２をオフする。上記動作を交流電源周波数の周期で繰り返す。これにより、逆位相制御の電力スイッチング（逆位相調光制御）が行われる。
【００６４】
このとき、図１１（Ｂ）に示すように、スイッチ素子オフのタイミング１３において、スイッチ素子Ｑ１、Ｑ２をオフさせる過渡時にスイッチ素子Ｑ１、Ｑ２の調光時（電力制御時）の損失による温度上昇が全灯時（非制御時）よりも高くならない（または全灯時と略同等である）所定の時間の能動動作領域１２を設ける。つまり、スイッチ素子電流（ドレイン電流）１０が徐々に減少する所定の時間の能動動作領域１２が生じるようにする。なお、このときスイッチ素子電圧（ドレイン電圧）１１は徐々に増加する。
【００６５】
ここで、能動動作領域１２は、逆位相制御の場合、スイッチ素子Ｑ１、Ｑ２がオン状態からオフ状態になるとき、スイッチ素子Ｑ１、Ｑ２のゲートとソース間の入力容量による電荷がゲートとソース間に挿入した抵抗Ｒ２、Ｒ４により自然放電されることによって生成される。
【００６６】
このような第２の実施形態の構成においても、第１の実施形態と同様に、逆位相制御によりスイッチ素子Ｑ１、Ｑ２オン時のスイッチング雑音を抑えることができ、また、スイッチ素子Ｑ１、Ｑ２オフ時の所定時間の能動動作領域の設定によって、ＣＩＳＰＲ１５規格対応の雑音特性を満足する低雑音の位相制御装置を実現することが可能である。したがって、雑音対策における部品の小型化、低コスト化を実現しつつ、ＣＩＳＰＲ１５の雑音規格を満足し、かつ、調光時のスイッチング損失によるスイッチ素子の温度上昇を全点灯時と略同等にできるという効果が得られる。
【００６７】
次に、位相制御を行う第２の動作例を説明する。図１２は第２の実施形態において位相制御を行う第２の動作例の動作波形を示す図である。図１２において、（Ａ）は負荷電圧及びスイッチ素子電流（ドレイン電流）を示し、（Ｂ）は（Ａ）の破線で囲んだ部分で示されるスイッチ素子オン過渡時の素子にかかる電圧、電流波形を示したものである。また、図中の斜線部は調光時の位相制御により電流が流れている区間を示している。ここでは、９０度位相制御により調光を行う例を示す。なお、交流電源の周波数（商用周波数）の半周期をＴとする。
【００６８】
位相制御を行う場合、図１２（Ａ）に示すように、制御回路４はマイコン制御により、負荷電圧が上昇した略ピーク（位相９０度）のタイミング８（すなわちスイッチ素子Ｑ１にかかる電圧、電流が略ピーク点のタイミング）でスイッチ素子Ｑ１をオンし、ドレイン電流を流し始めるようにする。このとき、スイッチ素子Ｑ２の寄生ダイオードを介してドレイン電流が交流電源１に戻り、負荷２に負荷電流が流れる。また、負荷電圧が略ゼロボルト（ゼロクロス、位相０度）のタイミング７（すなわちスイッチ素子Ｑ１にかかる電圧、電流が略ゼロ点のタイミング）でスイッチ素子Ｑ１をオフする。そして、負荷電圧が上昇した略ピーク（位相２７０度）のタイミング６（すなわちスイッチ素子Ｑ２にかかる電圧、電流が略ピーク点のタイミング）でスイッチ素子Ｑ２をオンし、ドレイン電流を流し始めるようにする。このとき、スイッチ素子Ｑ１の寄生ダイオードを介してドレイン電流が交流電源１に戻り、負荷２に負荷電流が流れる。また、負荷電圧が略ゼロボルト（ゼロクロス、位相１８０度）のタイミング５（すなわちスイッチ素子Ｑ２にかかる電圧、電流が略ゼロ点のタイミング）でスイッチ素子Ｑ２をオフする。上記動作を交流電源周波数の周期で繰り返す。これにより、位相制御の電力スイッチング（逆位相調光制御）が行われる。
【００６９】
このとき、図１２（Ｂ）に示すように、スイッチ素子オンのタイミング１５において、スイッチ素子Ｑ１、Ｑ２をオンさせる過渡時にスイッチ素子Ｑ１、Ｑ２の調光時（電力制御時）の損失による温度上昇が全灯時（非制御時）よりも高くならない（または全灯時と略同等である）所定の時間の能動動作領域１４を設ける。つまり、スイッチ素子電流（ドレイン電流）１０が徐々に増加する所定の時間の能動動作領域１４が生じるようにする。なお、このときスイッチ素子電圧（ドレイン電圧）１１は徐々に減少する。
【００７０】
ここで、能動動作領域１４は、位相制御の場合、スイッチ素子Ｑ１、Ｑ２がオフ状態からオン状態になるとき、スイッチ素子Ｑ１、Ｑ２のゲートとソース間の入力容量と電流制限抵抗Ｒ３、Ｒ５との時定数により充電されることによって生成される。
【００７１】
このように位相制御による調光においても、逆位相制御の場合と同様に、スイッチ素子Ｑ１、Ｑ２オン時の所定時間の能動動作領域の設定によって、ＣＩＳＰＲ１５規格対応の雑音特性を満足する低雑音の位相制御装置を実現することが可能である。したがって、雑音対策における部品の小型化、低コスト化を実現しつつ、ＣＩＳＰＲ１５の雑音規格を満足し、かつ、調光時のスイッチング損失によるスイッチ素子の温度上昇を全点灯時と略同等にできるという効果が得られる。
【００７２】
（実施例）
以下に、本実施形態における能動動作領域及び損失に関する具体的な実施例を示す。本実施例では、図１に示す第１の実施形態の構成において、スイッチ素子Ｑ１にＭＯＳ−ＦＥＴを用い、白熱灯６６Ｗ、１１０Ｖを負荷として接続した場合の一例を示す。交流電源としては、商用周波数５０Ｈｚ、実効電圧１００Ｖの商用電源を用いるものとする。
【００７３】
図１３はスイッチ素子のオン抵抗Ｒｏｎが０．５Ωの場合、図１４はスイッチ素子のオン抵抗Ｒｏｎが０．３Ωの場合のそれぞれの能動動作領域の時間と平均損失との関係を示す図である。図１３、図１４において、×は全灯時の平均損失を、＊は調光時の平均損失をそれぞれ示している。
【００７４】
調光時においては、能動動作領域の時間を長くするに従って平均損失が大きくなる。図１３に示す例のように、オン抵抗Ｒｏｎ：０．５Ωの場合、能動動作領域時間が約３４μsecのときに、全灯時の平均損失と、調光時のスイッチ素子の能動動作領域の損失とオン時の損失を加算した平均損失とが同等となる。図１４に示す例のように、オン抵抗Ｒｏｎ：０．３Ωの場合は、全灯時も調光時もＲｏｎ：０．５Ωの場合より損失は低くなる。しかし、仮に能動動作領域時間を３０μsec程度とした場合、調光時の方が全灯時より損失が大きくなる。この場合、位相制御装置の電子ブロックの放熱設計において調光時に合わせた設計をする必要がある。この電子ブロックを、例えば、調光機能の無い全灯のみの照明機器に流用することを考えた場合、本来、損失が大きい調光時に合わせた放熱手段は不要であるにも関わらず、余分な放熱構造をとった電子ブロックを使用することとなり、コスト的に非効率となってしまう。
【００７５】
Ｒｏｎ：０．５Ωの場合は、仮に能動動作領域時間を３０μsec程度とした場合、全灯時の平均損失と、調光時のスイッチ素子の能動動作領域の損失とオン時の損失とを加算した平均損失とが、ほぼ同等、あるいは調光時が全灯時より若干小さいレベルである。この場合、全灯時も調光時も同等の放熱構造を必要とするため、効率的な放熱設計が可能である。したがって、効率的な放熱設計を適用しつつ、損失の要因となるオン抵抗を０．３Ωから０．５Ωに上げることができ、スイッチ素子のコストを低く抑えることもできる。スイッチ素子のＭＯＳ−ＦＥＴは、一般的に損失の要因となるオン抵抗が低いものほどコストは高くなる。
【００７６】
図１５は能動動作領域時間に対するスイッチ素子の損失と雑音レベルの関係を示す図である。この図１５では、スイッチ素子のオン抵抗Ｒｏｎを０．５Ωとした場合を示している。図１５において、雑音レベルは、ＣＩＰＲ１５の雑音規格の規格値に対して、ある周波数帯域で最も高いレベルを示している。よって、規格値に対してオーバーする場合はある周波数帯域で最もオーバーするレベルが示され、規格値を満足している場合はある周波数帯域で最も高いポイントでの余裕度が示される。
【００７７】
雑音レベルの余裕度を約１０ｄＢ程度とることを前提に考えた場合、全灯時と比較して調光時の損失が略同等となるようにするためには、能動動作領域時間を図１５中の四角で囲んだ範囲ｔｄに入るように設計目標値を設定すればよい。すなわち、能動動作領域時間は、約２０μsec〜４０μsecに設定するのが適当である。交流電源の周波数が商用周波数５０Ｈｚの場合、その半周期は１０ｍsecであるので、能動動作領域時間は交流電源周波数の半周期の略１０００分の２から１０００分の４とするのが望ましい。
【００７８】
つまり、図２（Ｂ）における逆位相制御による調光時の能動動作領域１２、及び図７（Ｂ）における位相制御による調光時の能動動作領域１４は、交流電源周波数の半周期の略１０００分の２から１０００分の４の時間に設定すれば、ＣＩＰＲ１５の雑音規格を十分余裕をもって満足させることができる。
【００７９】
したがって、本実施例のように、位相制御装置において逆位相制御または位相制御を行う際に、供給電力の位相が略９０度のタイミングでスイッチ素子をオフまたはオンさせるときに、交流電源周波数の半周期の略１０００分の２から１０００分の４となる能動動作領域を設けることで、効率的な放熱設計を実施するために全灯時と調光時の損失が略同等となるようにし、かつＣＩＰＲ１５の雑音規格を十分満足させることができる。また、雑音低減用のフィルタを大型化しなくても済むため、位相制御装置を簡単な回路構成で実現できる。また、効率的な放熱設計を適用することで、よりシンプルな放熱構造をとることができる。これらにより、十分な雑音性能を確保しつつ装置の小型化、低コスト化を図ることが可能となる。
【００８０】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【００８１】
上述した実施形態では、位相制御装置を交流負荷として白熱灯などの照明機器を負荷として用いる照明装置の調光装置に適用した例を示したが、これに限るものではなく、交流負荷への供給電力をスイッチ素子でスイッチングして電力制御を行う構成であれば、他の種々の装置に適用可能である。
【産業上の利用可能性】
【００８２】
本発明は、より効率的な放熱設計を適用でき、小型かつ低コストで低雑音の装置を実現することが可能となる効果を有し、照明負荷等の交流負荷の電力制御を行うための調光装置等に適用可能な位相制御装置等として有用である。
【図面の簡単な説明】
【００８３】
【図１】本発明の第１の実施形態に係る位相制御装置の構成を示す回路図
【図２】第１の実施形態において逆位相制御を行う第１の動作例の動作波形を示す図
【図３】本実施形態におけるスイッチ素子の全灯時の場合の電流・電圧波形及び損失を示す図
【図４】本実施形態におけるスイッチ素子の逆位相制御による調光時の場合の電流・電圧波形及び損失を示す図
【図５】図４のスイッチ素子がオフする能動動作領域区間の瞬時損失を示す図
【図６】従来例の位相制御装置の構成及び動作を示す図
【図７】第１の実施形態において位相制御を行う第２の動作例の動作波形を示す図
【図８】本実施形態におけるスイッチ素子の位相制御による調光時の場合の電流・電圧波形及び損失を示す図
【図９】図８のスイッチ素子がオンする能動動作領域区間の瞬時損失を示す図
【図１０】本発明の第２の実施形態に係る位相制御装置の構成を示す回路図
【図１１】第２の実施形態において逆位相制御を行う第１の動作例の動作波形を示す図
【図１２】第２の実施形態において位相制御を行う第２の動作例の動作波形を示す図
【図１３】スイッチ素子のオン抵抗Ｒｏｎが０．５Ωの場合の能動動作領域の時間と平均損失との関係を示す図
【図１４】スイッチ素子のオン抵抗Ｒｏｎが０．３Ωの場合の能動動作領域の時間と平均損失との関係を示す図
【図１５】能動動作領域時間に対するスイッチ素子の損失と雑音レベルの関係を示す図
【符号の説明】
【００８４】
１  交流電源
２  負荷
３  制御電源
４  制御回路
ＣＮ１  電源接続部
ＣＮ２  負荷接続部
ＤＢ１  ダイオードブリッジ
Ｆ１  フィルタ
Ｑ１、Ｑ２  スイッチ素子
Ｒ１、Ｒ２、Ｒ３、Ｒ４、Ｒ５  抵抗
１０  スイッチ素子電流
１１  スイッチ素子電圧
１２、１４  能動動作領域
ｔｏｆｆ、ｔｏｎ  能動動作領域区間
【図１】
2008181790.tif 000003
【図２】
2008181790.tif 000004
【図３】
2008181790.tif 000005
【図４】
2008181790.tif 000006
【図５】
2008181790.tif 000007
【図６】
2008181790.tif 000008
【図７】
2008181790.tif 000009
【図８】
2008181790.tif 000010
【図９】
2008181790.tif 000011
【図１０】
2008181790.tif 000012
【図１１】
2008181790.tif 000013
【図１２】
2008181790.tif 000014
【図１３】
2008181790.tif 000015
【図１４】
2008181790.tif 000016
【図１５】
2008181790.tif 000017